Podtech/llm-jp-corpus-v4-ja_patent huggingface dataset:
(57)【要約】【課題】本発明は使用者それぞれの嗜好に合わせて物干し具の内容、つまりは洗濯物をつまむ役割の「ピンチ」、あるいは掛ける役割の「干し棒」などのレイアウトを任意に変更、構成できることを特徴とする物干し具である。これによって、つまめる物なら何でも干せるピンチだけの構成や、タオルなどが型崩れしない干し棒だけの構成、あるいはピンチと干し棒が混在する構成などの、使用者の嗜好に合わせて自在に変更可能な物干し具を提供することを目的としている。【解決手段】着脱自在部位を複数個有し、その着脱自在部位を使うことで、その部位に取り付けられたピンチなどを、文字どおり自在に着脱できる構成とした。これにより、物干し具の内容を、使用者の嗜好に合わせて、任意に変更、構成して使用する構成とした。【選択図】図６
2007195917.tif 000002
【特許請求の範囲】
【請求項１】
着脱自在部位を複数個有する物干し具である。着脱自在部位を使うことで、その部位に取り付けられたピンチなどを、文字どおり自在に着脱できる。これにより、物干し具の内容、つまりは洗濯物をつまむ役割の部分、あるいは掛ける役割の部分などのレイアウトを使用者の嗜好に合わせて、任意に変更、構成できることを特徴とする物干し具。
【発明の詳細な説明】
【技術分野】
【０００１】本発明は物干し具に関する。
【背景技術】
【０００２】従来から洗濯物を効率よく干すための物干し具として、上部に本体吊り下げに用いる吊り下げ部を有し、吊り下げた下部の枠形状または円形状本体から複数のハンガー、又は複数のピンチが吊設されている物干し具が用いられている。【０００３】図４および図５は洗濯物を干すために従来より使用されている物干し具の斜視図である。
【発明の開示】
【発明が解決しようとする課題】
【０００４】上記した従来の物干し具では、吊設されたピンチやハンガー部分は本体に固定されており、使用者の嗜好に合わせた僅かな変更すらできないという問題がある。【０００５】既存の物干し具は、使用者が物干し具に合わせることを要求しており、使用者に合わせることを目的とした物干し具は存在しないという問題がある。【０００６】また、複数のハンガーで構成された物干し具だけでは、ピンチを使って干した方が効率的な靴下等の洗濯物を干すことが難しいという問題があり、複数のピンチで構成された物干し具では洗濯物をピンチで挟んで支持するため、タオルなどが型崩れし変形して乾いてしまう問題がある。【０００７】本発明は使用者それぞれの嗜好に合わせて物干し具の内容、つまりは洗濯物をつまむ役割の「ピンチ」、あるいは掛ける役割の「干し棒」などのレイアウトを任意に変更、構成できることを特徴とする物干し具である。これによって、摘める物なら何でも干せるピンチだけの構成や、タオルなどが型崩れしない干し棒だけの構成、あるいはピンチと干し棒が混在する構成などの、使用者の嗜好に合わせて自在に変更可能な物干し具を提供することを目的としている。
【課題を解決するための手段】
【０００８】本発明の自在物干し具はこのような目的を達成するために、着脱自在部位を複数個有し、その着脱自在部位を使うことで、その部位に取付けられたピンチなどを、文字どおり自在に着脱できる構成とした。【０００９】図６は本発明の代表的な使用形態を示す斜視図である。
【発明の効果】本発明の自在物干し具は次のような効果をもたらすものである。【００１０】従来の物干し具では、その物干し具に合わせた干し方しかできないが、本発明の自在物干し具を使用すれば、使用者それぞれの嗜好に合わせた、最も使いやすい物干し具を簡単に構成することができる。これにより、使用者の嗜好に合わせた干し方を実現できる。【００１１】使用者それぞれの物干し事情に合わせた物干し具は、必要な部分だけで構成された無駄のない物干し具であり、最も効率の良い時間のかからない物干し作業を実現する。【００１２】単一機能しかもたない従来の物干し具では、それぞれの欠点を補うために、複数の物干し具を使うことになるが、本発明の自在物干し具は、求められる機能だけで構成することができるため、物干し場に複数の物干し具を下げる必要がなくなり、物干しスペースを広く使うことができる。
【発明を実施するための最良の形態】
【００１３】洗濯物の水分等で濡れることと、安価に製造することを考慮すれば、合成樹脂やアルミなどの耐腐食性の素材で構成することが必要である。
【実施例】以下に本発明の自在物干し具の実施例を図面を参照しつつ説明する。図６は本発明の代表的な使用形態を示す斜視図である。【００１４】図１は本発明の自在物干し具の斜視図である。本体１と、吊り下げ部２と、回り止め部３と、着脱自在部４と、取り付けパーツ類５で構成されている。【００１５】図２は本発明の自在物干し具の着脱自在部の斜視図である。【００１６】図３は取り付けパーツ類の斜視図である。【００１７】本発明の自在物干し具は上記実施の形態に限定されない。たとえば着脱自在部の形態や形状やその数、さらに取り付けパーツ類は適宣変形実施可能である。
【図面の簡単な説明】
【００１８】
【図１】本発明の自在物干し具の構成を説明するための斜視図である。
【図２】本発明の自在物干し具の着脱自在部の斜視図である。
【図３】本発明の自在物干し具の取り付けパーツ類の斜視図である。
【図４】従来より使用されている物干し具の斜視図。
【図５】従来より使用されている物干し具の斜視図。
【図６】本発明の自在物干し具の実施一例を示す斜視図である。
【符号の説明】
【００１９】１本体
２吊り下げ部
３回り止め部
４着脱自在部
５取り付けパーツ類
【図１】
2007195917.tif 000003
【図２】
2007195917.tif 000004
【図３】
2007195917.tif 000005
【図４】
2007195917.tif 000006
【図５】
2007195917.tif 000007
【図６】
2007195917.tif 000008
(57)【要約】      （修正有）【課題】洗濯した後に洗濯機から取り出す際、洗濯物が絡んで解くことが大変である。この洗濯物が絡みや捩れを少くして、洗浄力をアップする洗濯用板の改良に関するものである。【解決手段】洗濯物の間に洗濯用板１を１〜３枚程度入れて、洗濯物を２〜４等分にして洗濯されるから衣服は捩れや絡みが少い。また洗濯用板１に弾力を持たすことで、衣服間にある洗濯用板１は水流の力で曲りや捩れで破損しない。洗濯用板１の表面に水流を通す穴２を抜けることで洗濯用板１が水流の妨げにならず、水を通す穴２の大きさは衣服の袖や裾を通さない程度にする。洗濯用板１の片側に羽根３を附けて、左回転と右回転する水流力により浮き沈みの力で衣服も上下することで洗浄力もアップする。【選択図】図１
2007195919.tif 000002
【特許請求の範囲】
【請求項１】
洗濯用板を衣服間に入れることで、衣服を分割して衣服の裾や袖が絡まないようにしたことを特徴とする洗濯用板
【請求項２】
洗濯用板に弾力を持たして、捩れや曲って変形や破損しないようにしたことを特徴とした洗濯用板
【請求項３】
洗濯用板の表面に水を通す穴を開けて、洗濯の水流力は穴から通り抜けて洗濯用板が妨げにならず、洗浄力を落とさないことを特徴とする洗濯用板
【請求項４】
洗濯用板の片側に羽根を附けて、洗濯機の左回転と右回転する水流力により衣服は浮き沈みしながら洗浄力がアップさせることを特徴とする洗濯用板
【発明の詳細な説明】
【技術分野】
【０００１】  本発明は、洗濯した後に洗濯物を洗濯機から取り出す際、洗濯物が絡んで解くことが大変である。この洗濯物が絡みや捩れを少なくして、洗浄力をアップする洗濯用板の改良に関するものである。
【背景技術】
【０００２】  従来の洗濯は、洗濯物を水の回転により洗浄されるために、洗濯物は水流の力で巻き込まれて捩れや絡みあうため解いて皺を伸ばしてから干すのに大変手間である。
【発明の開示】
【発明が解決しようとする課題】
【０００３】  洗濯機の羽根が回転した水流で洗濯物を洗浄するため、洗濯物は捩れたまま絡みあい皺も多い。そのため洗濯機から洗濯物を取り出すとき絡みや捩れを解き皺も伸ばしてから干すまでの間が大変手間がかかる。洗濯用板はこれらを解決することを課題とする。
【問題を解決するための手段】
【０００４】  請求項１の発明は、洗濯物の間に洗濯用板を１〜３枚程入れて洗濯物を２〜４等分に分けることで、衣服間が狭くなり衣服は絡みや捩れにくく皺も少なくできる。
【０００５】  請求項２の発明は、洗濯物は水流の力で激しく絡もうとする力で洗濯用板は曲りや捩れで破損しやすいため、弾力を持たすことで変形や破損に耐用させた。
【０００６】  請求項３の発明は、洗濯用板の表面に水を通す穴を開けることで、洗濯の水流力が通り抜けて洗濯用板の抵抗を少なくすることで洗浄力を落さないようにした。穴の大きさは衣服の袖や裾などが通らない程度がよい。
【０００７】  請求項４の発明は、洗濯用板の片側に羽根を附けた洗濯用板は、衣服間に入れて洗濯機の左回転と右回転する水流力により浮き沈みして、衣服も浮き沈みしながら洗浄力がアップされる。
【発明の効果】
【０００８】  洗濯後の洗濯機から洗濯物を取り出して干すまでに、洗濯物は捩れて絡みあい皺も多い状態だが、洗濯用板を衣服の間に１〜３枚程度入れて洗濯すると洗濯物の捩れ、絡み、皺は、ほとんどなく絡みや縒りを戻して皺も伸ばす手間はあまりかからない。また洗浄力がアップされて汚れも落ちて奇麗に仕上がる。
【発明を実施するための最良の形態】
【０００９】  洗濯物の間に洗濯用板１を１〜３枚程度入れて、洗濯物を２〜４等分にして洗濯されるから衣服は捩れや絡がすくない。また洗濯用板１に弾力を持たすことで、衣服間にある洗濯用板１は水流の力で曲りや捩れで破損しないようにした。洗濯用板１の表面に水流を通す穴２を開けたことで、水流は水を通す穴２を抜けることで洗濯用板１が水流の妨げにならず、水を通す穴２の大きさは衣服の袖や裾を通さない程度にする。洗濯用板１の片側に羽根３を附けて、左回転と右回転する水流力により浮き沈みの力で衣服も上下することで洗浄力もアップする。［図２］は、洗濯用板１のＡ，Ａ断面図で厚さと羽根３を示す。
【産業上の利用可能性】
【００１０】  本発明に係る洗濯用板は、工業的に量産する事が可能であるため、産業上の利用可能性を有する。
【図面の簡単な説明】
【００１１】
【図１】  洗濯用板本体斜視図
【図２】  洗濯用板ＡＡの断面図
【符号の説明】
【００１２】  １  洗濯用板本体
２  水を通す穴
３  羽根
【図１】
2007195919.tif 000003
【図２】
2007195919.tif 000004
(57)【要約】      （修正有）【課題】靴を履き替えなくても防寒靴の切断面から靴先を入れると、手を使うことなく履くことができ、脱ぐこともできる防寒靴の提供。【解決手段】前記のことを鑑なみ、使用者が防寒靴１を足元に置き移動する際に手を使わずに履いたり脱いだりできるように防寒靴１の後方に上部から下部に、防寒靴底２内側まで縦に切断面３を設け、縦切断面３の下部に横切断面６を設け、容易に動かないように靴底床面２Ａに鉄板４のような重いものを取り付け、防寒靴１の後方の縦切断面３に自分が履いている靴を入れると縦切断面３が開き、靴が履け、靴をバックすると縦切断面３が開き防寒靴１が脱げるといった防寒靴。【選択図】図１
2007195914.tif 000002
【特許請求の範囲】
【請求項１】
本発明は、寒い時期に屋内で使用される、靴を履いたまま履いたり脱いだり簡単にでき、防寒靴のサイズは４０センチ程度と大きいことを特徴とする防寒靴。
【請求項２】
前記防寒靴は、机上職の人が、靴を履いたまま履くために、靴の後方に上部から靴の内底まで縦に切断し、縦切断面下部の左右に横切断面を設け、靴の形状が崩れないように形状記憶合金を縦や横に或いは斜めに縫うか接着剤で接着するか何かしらの方法で取り付け、靴底の床面に接する所には、容易に動かないように鉄板のように重いものを付け、靴を履いたまま縦切断面に差し込むと、縦切断面が大きく開き防寒靴の中に靴が入り防寒靴が履け、切断面が閉じ、そのまま後ろに靴をバックすると、縦切断面が大きく開くことにより防寒靴から靴を脱げ、
手を使わずに履いたり脱いだりできることを特徴とする請求項１記載の防寒靴。
【発明の詳細な説明】
【技術分野】
【０００１】  この発明は、寒い時期に室内で履く防寒靴に関する。
【背景技術】
【０００２】  従来の防寒靴は、図３に示すようにさまざまな工夫を凝らしたものはあるが、素足又は靴下を履いてから履く防寒靴であり、靴を履いたまま履ける防寒靴がなかった。
【特許文献１】  特開２００３−３１０３６
【発明の開示】
【発明が開示しようとする課題】
【０００３】  しかしながら、以上の技術によれば、寒い時期室内で机に座って仕事をしているとき靴を脱いで履き替えなければなりません。
そこで、この発明は、靴を履き替えなくても防寒靴の切断面から靴先を入れると、手を使うことなく履くことができ、脱ぐこともできる防寒靴を提供することを課題とする。
【課題を解決するための手段】
【０００４】    以上の課題を解決するために、第一発明は屋内で使用される、靴を履いたまま履いたり脱いだり簡単にでき、防寒靴のサイズは４０センチ程度と大きいことを特徴とする防寒靴。
【０００５】  また、第二発明は、前記防寒靴は机上職の人が靴を履いたまま履くために、防寒靴の後方に上部から靴の内底まで縦に切断し、縦切断面下部の左右に横切断面を設け、防寒靴の形状が崩れないように、形状記憶合金を縦や横に或いは斜めに縫うか接着剤で接着するか何かしらの方法で取り付け、防寒靴底の床面に接する所には、容易に動かないように鉄板のように重いものを付け、靴を履いたまま縦切断面に差し込むと、縦切断面が大きく開き防寒靴の中に靴が入り防寒靴が履け、切断面が閉じ、
そのまま後ろに靴をバックすると、縦切断面が大きく開くことにより防寒靴から靴を脱げ、手を使わずに履いたり、脱いだりできることを特徴とする防寒靴。
【発明の効果】
【０００６】  第一発明又はまたは第二発明によれば、寒い時期、机上職の人が、足元が冷たいとき、靴を履いたまま、靴の後方の縦切断面につま先を入れると履く事ができ、席を立つときは、靴をバックすれば脱け、手を使わずに履いたり、脱いだりできる防寒靴である。
【発明を実施するための最良の形態】
【０００７】  以下、本発明の実施の形態を図１と図２に基づいて説明する。【０００８】  図１においては、机やテ−ブルの足元に置いて容易に動かないように、防寒靴１の靴底床面２Ａに鉄板４などの重いものを付け、防寒靴１の後方を上部３Ａから３Ｂに靴底内側２Ｂまで縦切断面３にし、縦切断面３の下部３Ｂに左右に横切断面６を設け、防寒靴１の形状が崩れないように、縦や横に或いは斜めに形状記憶合金５を縫うか接着剤などで接着するか何かしらの方法で取り付け、防寒靴１の形状が崩れ難いことと、靴７を履いたまま履く防寒靴１なので４０センチ程度と大きな防寒靴１である。【０００９】  図２において防寒靴１は、机やテ−ブルの足元に置いて使用者が椅子に座り、自分が履いている靴７の先を縦切断面３に入れると縦切断面３が開き、
靴７が防寒靴１の中に入ると形状記憶合金５の作用により縦切断面３閉じ、足元が外気にさらされる事なく、席を立つときは、靴７を後ろにバックすると縦切断面３が開き靴７のかかとが出、靴７がすべて出ることにより防寒靴１が脱げ、形状記憶合金５の作用により縦切断面３が閉じるといった防寒靴１である。
「他の実施例」
図１の実施形態では、防寒靴は水平に置かれているが、他の実施形態では、防寒靴の前方を少し上げて斜めにしても良い。【００１０】  実施形態では、左右で一対になっているが、他の実施形態では、左右の足が入るような一体形式のものでも良い。【００１１】  実施形態では、形状記憶合金となっているが、他の実施形態では、防寒靴の形状が崩れないものであれば形状記憶合金以外のものでも良い。【００１２】  実施形態では、防寒靴の内部に熱源器が備えてないが、他の実施形態では、備えても良い。
【図面の簡単な説明】
【００１３】
【図１】  この発明の一実施形態を示す図１の前方を爪先として見た後方側面図。
【図２】  後方側面図。
【図３】  従来の技術を示す図１の前方を爪先として見た横方側面図。
【符号の説明】
【００１４】１−  防寒靴
２−  靴底
２Ａ−靴底床面
２Ｂ−靴底内側
３−縦切断面
４−鉄板
５−形状記憶合金
６−横切断面
７−靴
【図１】
2007195914.tif 000003
【図２】
2007195914.tif 000004
【図３】
2007195914.tif 000005
(57)【要約】【課題】本発明は、洗濯機で靴下を洗うとき、両足の靴下を本発明に入れて洗うものである。通常は、そのまま靴下を洗濯機に入れるが、両足がバラバラになるので洗い終えた後、両足に揃えるのに手間がかかる為、一緒に洗うことにより両足にする手間が解消される。又、立体的に洗う為、もみ洗いしやすく、汚れのひどい部分には洗剤がつけやすく、汚れも落ちやすい。【手段】ソフトナイロンを丸めた物体（１）（２）（３）を１０センチ間隔に３つ左右両端に並べ、中央を３５〜４０センチの間を設けて紐（４）で固定する。ソフトナイロンを丸めた物体のうち真ん中（２）は、動くようにスライド式に設ける。ソフトナイロンを丸めた物体（１）（２）（３）は、同色ではなく個々の色にする。【選択図】図１
2007195920.tif 000002
【特許請求の範囲】
【請求項１】
ソフトナイロンを丸めた物体（１）（２）（３）を設置し紐（４）につける。
【請求項２】
ソフトナイロンを丸めた物体（１）（２）（３）は左右、均等とする。
【請求項３】
ソフトナイロンを丸めた物体（２）の部分をスライド式にする。
【請求項４】
ソフトナイロンを丸めた物体（１）（２）（３）の色を変える。
【発明の詳細な説明】
【発明の詳細な明細】
【技術分野】
【０００１】  この発明は、洗濯機で靴下を洗う時、左右がバラバラにならず洗え、このナイロン付き紐を入れることにより、尚一層、汚れが落ちやすくなるものである。
【背景技術】
【０００２】  従来、洗濯機にそのまま両足の靴下を入れ、汚れがひどい時は、もみ洗い又は、洗剤を靴下の汚れのひどい部分につけて洗うということは知られている。
【発明が解決しようとする課題】
【０００３】  洗濯機にそのまま両足の靴下を入れて洗う時、次のような問題点があった。靴下は、両足でたたんでしまうものである。洗濯機で洗う時、右、左がバラバラになってしまうので、干す時又は、乾いてたたむ時に両足を揃える手間がかかる。汚れがひどい時は、汚れのひどい部分に洗剤をつけるが、靴下が立体的でない為、洗剤がつけにくい。  本発明は、以上の問題点を解決し、靴下を干して乾かしてたたむまでをスムーズにできるようになされたものである。又、靴下の中にナイロンを入れることにより、立体的になり、もみ洗いもしやすく、洗剤もよりつけやすくなり、洗濯機の回転時に汚れの部分が落ちやすくなる。
【課題を解決する手段】
【０００４】  ソフトナイロンを丸めた物体（１）（２）（３）を１０センチ間隔に３つ左右両端に並べ、中央を３５〜４０センチの間を設けて紐（４）で固定する。  本発明は、以上の構成により、その中に靴下を入れて洗うと両足がバラバラにならず又、立体的になる為、隅々まで洗えるものである。
【発明を実施するための最良の形態】
【０００５】  以下、本発明の実施の形態を説明する。（イ）ソフトナイロンを丸めた物体（１）（２）（３）を１０センチ間隔に３つ左右両端に並べ、中央を３５〜４０センチの間を設けて紐（４）で固定する。（ロ）ソフトナイロンを丸めた物体のうち真ん中（２）は、動くようにスライド式に設ける。（ハ）ソフトナイロンを丸めた物体（１）（２）（３）は、同色ではなく個々の色にする。  本発明は以上の構成よりなる。  本発明を使用する場合は、ソフトナイロンを丸めた物体（１）（２）（３）の中に右端と左端に靴下を入れる。色が個々に違う為先端が分かり入れやすくなっている。ソフトナイロン生地なので伸縮性がありソフトナイロンを丸めた物体の真ん中（２）がスライド式なので、短長、大小と幅広く使用できるようにしている。
【発明の効果】
【０００６】  両足の靴下を本発明に入れて洗うことにより、左右の靴下を一緒にする手間がなくなり、そのまま靴下を干して畳んでしまえる。又、靴下が立体的になる為、もみ洗いがしやすく、汚れの部分にも洗剤がつけやすい。立体的な分、隅々まで汚れが落ちやすい。
【図面の簡単な説明】
【図１】本発明の斜視図
【符号の説明】
（１）ソフトナイロンを丸めた物体（２）ソフトナイロンを丸めた物体（３）ソフトナイロンを丸めた物体（４）紐
【図１】
2007195920.tif 000003
(57)【要約】      （修正有）【課題】食器洗い用スポンジを入れるための通気性が良くカビが発生しないポケットをつけた台所用洗い桶を提供する。【解決手段】ステンレスまたはプラスチック等の抗菌材料で作った台所用洗い桶１にスポンジを収納する水切りポケット２を作った。【選択図】図１
2007195916.tif 000002
【特許請求の範囲】
【請求項１】
ステンレス、プラスチック等の抗菌材料を使って
食器洗いスポンジをおくためのポケットをつけた台所用洗い桶。
【請求項２】
上記の食器洗いスポンジを置くためのポケットに水切り穴を開けた請求項１の台所用洗い桶。
【発明の詳細な説明】
【技術分野】
【０００１】本発明は食器洗い用スポンジをいれるためのポケットをつけた台所用洗い桶に関するものである。
【背景技術】
【０００２】従来、食器洗い用スポンジは専用のスポンジ置きなどに収納しますがシンク内に取り付ける吸盤付きのものだと吸盤部分等が通気性の悪いものもあり、湿気などでカビが発生したりして不衛生でした。
またスペースの確保でシンク内が狭くなっていました。
【発明の開示】
【発明が解決しようとする課題】
【０００３】本発明はその欠点をなくしシンク内も広くすっきりと使えて衛星的です。
【課題を解決するための手段】
【０００４】台所用洗い桶に食器洗い用スポンジを収納する水切りポケットを付けることが最上であると発見した。
【発明の効果】
【０００５】本発明によりスポンジを衛生的に保管できてシンク内をすっきり広く使えるようになる。
【発明を実施するための最良の形態】
【０００６】本発明は以上のような構成であるから、台所用洗い桶の用途とスポンジ収納水切りポケットの用途の同時に２通りの使い方ができる。
【実施例】
【０００７】本発明に水をいれて食器類を入れたり、食器洗い用スポンジを収納して使います。
【図面の簡単な説明】
【０００８】食器用洗い桶にスポンジを収納するための水切りポケットをつけたもの。【図１】正面図  本発明を立てたもの
【図２】正面図  本発明を横にしたもの
【符号の説明】
【０００９】（１）ステンレスまたは、プラスチック等の抗菌素材をつかった台所用洗い桶。
（２）食器洗い用スポンジを収納する水切りポケット。
（３）水切り穴
【図１】
2007195916.tif 000003
【図２】
2007195916.tif 000004
(57)【要約】【課題】３５歳以上で８０％を超える人々が歯周病にかかっでいる現代において、生涯自分の歯でいられる人が減少している。歯周病を防ぐには、若年からの歯垢の除去と歯ぐきのマッサージを行い、血行をよくするが、重要であることは、一般的に知られているが、歯茎のマッサージは、場所、時間が限定されるため、容易に実行することが困難で効果が上がらず面倒くさい。【解決手段】シート状の基布などに繊維などでブラシを垂直方向に起毛させ、それを歯ぐきと唇の内側に挟み込み、口の運動により歯ぐきに対するブラシの圧力の変化をつけることによって、歯ぐきの血行を促進させ、歯周病の予防、対策に使用するものである。【選択図】図３
2007195901.tif 000002
【特許請求の範囲】
【請求項１】
繊維又は、合成樹脂、紙製の基布、シート状のものに、垂直方向に細いブラシ状の突起物を付加した歯ぐきのマッサージをすることを目的としたブラシ付シート。
【請求項２】
繊維又は、合成樹脂、紙製の基布、シート状のものに、垂直方向に細いブラシ状の突起物を付加したシートで、歯の汚れをとることができるシート状歯ブラシ。
【請求項３】
ブラシに歯磨き粉、血行促進する薬品をコーティングすることにより効果を上げることも可能である。
【発明の詳細な説明】
【技術分野】
【０００１】３５歳以上で８０％を超える人々が、歯周病にかかっていると言われる現状において、本発明は、いつでもどこでも容易に歯ぐきマッサージを可能にさせ、歯周病の予防、又は、進行を遅れさせることを目的としている。
【背景技術】
【０００２】歯周病の予防として、歯ブラシ及び、電動式マッサージ器具が考案されている。
【特許文献１】特許公開２００３−１５３７４１
【発明の開示】
【発明が解決しようとする課題】
【０００３】従来の柄付歯ブラシや歯ブラシ付電動マッサージ器具によるマッサージは、いつでも、どこでも簡単にマッサージできるものではなく、時間、場所など限定されてしまう。
さらに、電動式マッサージ器具は効果である。本発明は、手を使わずに口に含んだだけで、安価に比較的に時間、場所の制約を受けずに歯ぐきのマッサージを可能とし、血行を促進して、歯周病の予防、進行を遅れさせる効果を有する。
【課題を解決するための手段】
【０００４】繊維シート、合成樹脂シート、紙製シートなどに垂直方向に繊維状のブラシを起毛させる。（図１、図２参照）
そのブラシシートを歯ぐきの大きさに応じて裁断し、ブラシ面を歯ぐきに密着させ、唇の内側で、挟み込む。（図３、図４参照）
口を大きく開けたり、閉じたり、さらに唇をすぼめたり、真一文字に開いたりする事により、歯ぐきに密着しているブラシの圧力が変化することになり、歯ぐきの血行を促進する。【０００５】シート状のブラシであるため、手を使わずに歯ぐきのマッサージをするとともに歯に付着した汚れを絡めとることができ、歯磨き効果も期待できる。
【発明の効果】
【０００６】本発明により、歯周病対策として必要とされていた歯ぐきのマッサージが手を使わずに実行が可能である。また、口の中に入れることによって、他の作業を行いながら、いつでもどこでも、比較的に時間、場所の制約を受けることなく、安価でしかも容易に歯ぐきのマッサージを可能にする事により、歯周病の予防、対策を含めた歯の健康管理に寄与する。
【発明を実行するための最良の形態】
【０００７】図１は、繊維を織り、編みなどで加工されたもの又は、不織布などで構成されたシートであり、そのシートに垂直方向にブラシ状の細い繊維を起毛させたものである。
図２は、その側面図であり、歯ぐきの大きさに応じたサイズに設定する。
【０００８】図３は、シート式歯ぐきマッサージブラシを装着した図である。
ブラシ面を歯ぐき側にセットし、唇の内側で押さえる。
【０００９】図４は、シート式歯ぐきマッサージブラシを上下歯ぐきにそれぞれ装着した使用図である。この状態で、口を大きく開いたり、閉じたり、唇をすぼめたり、真一文字に開いたりすることにより、歯ぐきに当たっているブラシの圧力が変化し、歯ぐきの血行を促進し、歯の汚れも絡めとる。
【００１０】シート部は合成樹脂、紙でも良い。
【産業上の利用可能性】
【００１１】本発明に係わるシート式歯ぐきマッサージブラシは、工業的に量産可能であるため、産業上の利用可能性を有する。
【図面の簡単な説明】
【００１２】
【図１】シート式歯ぐきマッサージブラシの全体図である。
【図２】シート式歯ぐきマッサージブラシの側面図である。
【図３】シート式歯ぐきマッサージブラシをした歯ぐきに装着した図である。
【図４】シート式歯ぐきマッサージブラシを上下歯ぐきに装着した使用側面図である。
【符号の説明】
【００１３】１  繊維、合成樹脂、紙などで構成されたベースシート
２  繊維、合成樹脂による起毛ブラシ部
３  シート式歯ぐきマッサージブラシ本体
４  上歯
５  下歯
６  歯ぐき
７  唇
【図１】
2007195901.tif 000003
【図２】
2007195901.tif 000004
【図３】
2007195901.tif 000005
【図４】
2007195901.tif 000006
(57)【要約】【課題】背伸びや体を前後、左右に反らせたり、体を捻るなどの軽運動をする際に、運動の効果をより高める為に手に持って使用する軽運動補助具を提供する。【解決手段】  両端に指掛け部を設けた２個の円筒状の握り部に軸棒を通し、軸棒の両端にストッパー部を取り付けた軽運動補助具で、背伸びや体を反らせたり、捻るときに、両手で握り部を持って行う。軸棒を中心に、握り部がスライドしたり回転するので、背伸びや体を反らしたり、体を捻るなどの運動の際には、手首の曲げ伸ばし、腕を外側に引っ張り合う、中に押し合うなどの運動を加えることができる。また、軽運動補助具に適度な重みがあるので、腕の上下、回転運動では加重を掛けた運動ができる。【選択図】図１
2007195904.tif 000002
【特許請求の範囲】
【請求項１】
両端に指掛け部を設けた２個の円筒状の握り部に軸棒を通し、軸棒の両端にストッパー部を取り付けた軽運動補助具。
【発明の詳細な説明】
【技術分野】
【０００１】  本発明は背伸びや体を前後、左右に反らせたり、体を捻る等の軽運動をする際に、運動の効果をより高める為に手に持って使用する軽運動補助具に関するものである。
【背景技術】
【０００２】  従来、背伸びや体をそらしたり、捻るなどの軽い運動をする際には、手に何も持たないか、タオルやひも等を持って行っていた。
【発明の開示】
【発明が解決しようとする課題】
【０００３】  従来、背伸びをする時や体を横に反らす場合、頭上に上げた両手を組むと、支点となり、より力を入れて体を伸ばすことが出来るが、上方に腕を伸ばして手を組む事が出来ない方もいる。
【課題を解決するための手段】
【０００４】    上記の課題を達成するために請求項１に記載の発明は、円柱状の軸棒に可動する握り部を設けた軽運動補助具である。【０００５】  本発明の軽運動補助具の構造を説明する。軸棒の二分の一以下の長さの２個の円筒状の握り部に円柱状の軸棒を通し、両端にストッパー部を取り付ける。【０００６】  ２個の円筒状の握り部の両端に指掛け部を設ける。
【発明の効果】
【０００７】  本発明の軽運動補助具は硬度があるので、背伸び運動や体を反らせたり、捻る運動を行う際に、軽運動補助具を支点として運動が行うことができ、より効果的に行うことが出来る。【０００８】  本発明の軽運動補助具は握り部が軸棒に対してスライドしたり、回転するので、運動の際に手首の動きやひじの曲がりなど体の微妙な動きにも対応でき、体に無理な負担を掛けない。【０００９】  本発明の軽運動補助具は握り部が軸棒に対してスライドしたり、回転するので、背伸び運動や体を反らせたり、捻る運動を行う際に手首を動かす運動や引っ張ったり、押したりする運動が同時にできる。【００１０】  本発明の軽運動補助具にある程度の重量を付けることで、ダンベルの効果も加えることが出来る。
【発明を実施するための最良の形態】
【００１１】  本発明を実施する方法としては、握り部２を両手で持つことにより左右の腕を一体化して運動が出来る。背伸び運動をする際には、本軽運動補助具の２個の握り部２を各々両手で握り、そのまま頭上に上げていき、頭上で本軽運動補助具をより上に押し上げることで体をより伸ばすことができる。また、体を横に反らす場合は、上方に持ち上げた軽運動補助具を左右に外側の腕で引っ張ることで体をより強く横に反らせることが出来る。【００１２】  本軽運動補助具の握り部２を各々両手で握り、前方に腕を伸ばし、左右に外側の腕で引っ張ることで体をより強く捻ることが出来る。本軽運動補助具は握り部２が軸棒１上をスライドする為、運動する際に両腕の間に遊びの間隔が持て、力を入れた時と、力を抜いた時に、握り部２を握っていても運動の際に入れる力の強弱がつけられる。【００１３】  握り部２が軸棒１を中心に回転するので、握り部２を各々両手で握って、前方又は頭上に腕を伸ばし、手首を曲げ伸ばしすると腕の筋肉や肩の筋肉の運動が出来る。又、体の前方で本補助具を縦に持つと雑巾を絞るような運動が出来る。【００１４】  握り部２の中心側に設けた指掛け部３に指を掛けて外側に引っ張る運動が出来る。外側に引っ張る運動をする際に、握り部２を握って引く運動と、握らずに指掛け部３に指を掛けたのみで引っ張る運動が出来、使用する筋肉が違ってくる。又、強く引く為に握り部２の回転を利用して捻りながら引く事が出来る。指の引っ掛け方としては、親指と人差し指で輪を作り指掛け部３に引っ掛けたり、人差し指と中指の間に引っ掛けて外側に引く。体の前方、頭上、背中側などで行う。【００１５】  軸棒１の両端のストッパー部４を内側に押す運動ができる。本軽運動補助具は肩幅と同等の長さの為、胸前、頭の上、頭の後ろなどで軸棒１の両端のストッパー部４に掌を当てて押し合う事が出来る。【００１６】  本軽運動補助具に適度の重さを持たせることで加重を掛ける運動が出来るので、本軽運動補助具を片手又は両手で持って、腕の屈伸運動、上下運動、回転運動を行うことができる。
【図面の簡単な説明】
【００１７】
【図１】  本発明の斜視図
【符号の説明】
【００１８】      １  軸棒
２  握り部
３  指掛け部
４  ストッパー部
【図１】
2007195904.tif 000003
(57)【要約】【課題】ロール状に巻きつけてあるものをスムーズに回転させながら引き出せることができる回転手段を提供する。【解決手段】ロール状に巻きつけてあるものと接するリング状の部品（１）と、台と接するリング状の部品（２）の間に摩擦を減らすもの（３）を装着した回転リング。【選択図】図３
2007195908.tif 000002
【特許請求の範囲】
【請求項１】
ロール状に巻きつけてあるものと接するリング状の部品（１）と、台と接するリング状の部品（２）の間に摩擦を減らすもの（３）を装着した回転リング。
【発明の詳細な説明】
【技術分野】
【０００１】  本発明は、トイレットペーパーやひも・リボンなどロール状に巻きつけてあるものを取り出すのに役立つ回転手段に関するものである。
【背景技術】
【０００２】  従来、ロール状に巻きつけてあるものを取り出すには、横向きまたは縦向きに心棒を通して引き出すタイプのものがあった。
【発明の開示】
【発明が解決しようとする課題】
【０００３】  そのために、次のような問題点があった。
横向きのものは手軽さに欠け、縦向きのものは摩擦のためにロール状に巻きつけてあるものを引き出しにくかった。
本発明は、以上の問題点を解決するためになされたものである。
【課題を解決するための手段】
【０００４】  ロール状に巻きつけてあるものと接するリング状の部品（１）と、台と接するリング状の部品（２）の間に摩擦を減らすもの（３）を装着する。
本発明は、以上のような構成よりなる回転リングである。
【発明の効果】
【０００５】  心棒を立設した台と、ロール状に巻きつけてあるものの間に本発明を装着することにより、ロール状に巻きつけてあるものをスムーズに回転させながら引き出せることができる。
【発明を実施するための最良の形態】
【０００６】  以下、本発明の実施の形態を説明する。
ロール状に巻きつけてあるものと接するリング状の部品Ａ（１）と、台と接するリング状の部品Ｂ（２）の間に摩擦を減らすもの（３）を装着する。
本発明は、以上のような構成よりなる回転リングであり、それを心棒〈４〉を立設してある台〈５〉に挿入して、ロール状に巻きつけてあるものを回転させながら引き出して使用する。
【図面の簡単な説明】
【０００７】
【図１】本発明の斜視図である。
【図２】本発明の正面図である。
【図３】本発明を縦に切断した場合の正面図である。
【符号の説明】
【０００８】１  部品Ａ
２  部品Ｂ
３  摩擦を減らすもの
４  心棒
５  台
【図１】
2007195908.tif 000003
【図２】
2007195908.tif 000004
【図３】
2007195908.tif 000005
(57)【要約】【課題】ゴムを使いループロックを応用し赤ちゃんが手にする哺乳ビンの落下防止具を提供する。【解決手段】ゴムを輪にし、輪にした中に赤ちゃんが手にする哺乳ビンを入れループロックで絞り込み落下防止を特徴とした落下防止具。【選択図】図１
2007195907.tif 000002
【特許請求の範囲】
【請求項１】
赤ちゃんの首に引っ掛けるための輪状紐体に、衣服に固定するためのズレ防止クリップと、伸縮自在のスプリングを介して哺乳ビンを保持するための輪状弾性体を設けたことを特徴とする哺乳ビン落下防止用ストラップ。
【発明の詳細な説明】
【技術分野】
【０００１】  本発明は、ループロックの穴に輪ゴムを通し、輪ゴムに哺乳ビンを挟みループロックで輪ゴムを絞り込み、輪ゴムの一端を首輪などに連結した、哺乳ビン落下防止用ストラップに関するものである。
【背景技術】
【０００２】  従来、赤ちゃんの腕にマジックテープを設置したヌイグルミの落下防止具があった。
【発明の開示】
【発明が解決しようとする課題】
【０００３】  そのために、次のような問題点があった。
（イ）従来のヌイグルミ用落下防止具はヌイグルミを手に持ち遊ぶことができなかった。
（ロ）哺乳ビンを赤ちゃんが、両手に持ちミルクを飲んでいる際中に手から滑り落ちることがあり、哺乳ビンの落下防止具はなかった。
本発明は、これらの問題を解決するためになされたものである。
【課題を解決するための手段】
【０００４】  赤ちゃんの首に引っ掛けるための輪状紐体に、衣服に固定するためのズレ防止クリップと、伸縮自在のスプリングを介して哺乳ビンを保持するための輪状弾性体を設けたことを特徴とする哺乳ビン落下防止用ストラップ。
【発明の効果】
【０００５】  赤ちゃんの、歯が生え歩行器を使い自分で手に持ってミルクを飲み一人遊びをするころになると、特に男の子は乱暴にも手に持っている哺乳ビンを放り投げてしまい、お母さんは哺乳ビンの乳首が床につき不潔である為、そのたび哺乳ビンの乳首を消毒をしなければならなかった、輪ゴムに哺乳ビンを挟みループロックで輪ゴムを絞り込み、輪ゴムの一端を首輪などに接続することで、赤ちゃんが哺乳ビンを放り投げても保持できることを特徴とする落下防止具である。
【発明を実施するための最良の形態】
【０００６】  以下、本発明の実施の形態について説明する。
（イ）首に掛ける輪は、ホース（４）にひも（５）を通し首が入る輪にひも（５）の末端と先端を連結する、首に掛ける輪のホース（４）にクリップ（６）を装着する。
（ロ）伸縮自在なスプリング（３）に輪ゴム（２）を接続し輪ゴム（２）にループロック（１）を装着し、スプリング（３）の先端を首に掛ける輪のホース（４）に装着する。
本発明は以上のような構造で、これを使用するときは、輪ゴム（２）に哺乳ビンのキャップのくびれ部に挟みループロック（１）で哺乳ビンのキャップのくびれ部を絞り込み哺乳ビンを設置する、赤ちゃんの首にホース（４）を掛けクリップ（６）をホース（４）の一番下部で赤ちゃんの服に挟み首輪を固定する。
赤ちゃんがぐずりきげんが悪くなり、乱暴にも哺乳ビンを放り投げても首に掛けているホース（４）からスプリング（３）に連結されている為、哺乳ビンは床には落下しない、又赤ちゃんがきげんが良くなり眠りに入った時も首に掛けている輪が捩れてもホース（４）は弾力性があるためもとの形に返る性質があり赤ちゃんの首に絡むことはなくクリップ（６）でホース（４）の一番下部で赤ちゃんの服に挟み首輪を固定しているので首輪が非常時の状態で首をしめることがない。
【実施例１】
【０００７】（イ）図２に示すように肩に掛ける輪は、ホース（４）にひも（５）を通しホース（４）は赤ちゃんの首部分で固定し肩が入る輪にひも（５）の末端と先端をループロック（１）で連結する、肩に掛ける輪のひも（５）にクリップ（６）を装着する。
（ロ）伸縮自在なスプリング（３）に輪ゴム（２）を接続し輪ゴム（２）にループロック（１）を装着し、スプリング（３）の先端を肩に掛ける輪のひも（５）に装着する。
本発明は以上のような構造で、これを使用するときは、輪ゴム（２）に哺乳ビンのキャップのくびれ部に挟みループロック（１）で哺乳ビンのキャップのくびれ部を絞り込み哺乳ビンを設置する、赤ちゃんの肩にひも（５）を掛けクリップ（６）をひも（５）の下部で赤ちゃんの服に挟み肩輪を固定しひも（５）の末端と先端を連結したループロック（１）で赤ちゃんの体に合わせ調節する。
赤ちゃんがぐずりきげんが悪くなり、乱暴にも哺乳ビンを放り投げても肩に掛けているひも（５）からスプリング（３）に連結されている為、哺乳ビンは床には落下しない、又赤ちゃんがきげんが良くなり眠りに入った時も肩に掛けている輪が捩れてもホース（４）は弾力性があるためもとの形に返る性質があり赤ちゃんの首に絡むことはなく、又クリップ（６）でひも（５）の下部で赤ちゃんの服に挟み肩輪を固定しているので肩輪が非常時の状態で首をしめることがない。
【実施例２】
【０００８】（イ）図３に示すように、ループロック（１）に輪ゴム（２）を通し、輪ゴム（２）の一端に伸縮自在なスプリング（３）に接合する。
（ロ）スプリング（３）の末端にクリップ（６）を接合する。
本発明は以上のような構造で、これを使用するときには、輪ゴム（２）に哺乳ビンのキャップのくびれ部に挟みループロック（１）で哺乳ビンのキャップのくびれ部を絞り込み哺乳ビンを設置する、輪ゴム（２）から連結されたスプリング（３）の先端に設けたクリップ（６）をよだれかけに挟みクリップ（６）を固定させる。
赤ちゃんがぐずりきげんが悪くなり、乱暴にも哺乳ビンを放り投げてもよだれかけに挟んでいるクリップ（６）からスプリング（３）に連結されている為、哺乳ビンは床には落下しない。
【実施例３】
【０００９】（イ）図４に示すように、長ゴム（７）の先端をループロック（１）の片方の穴に長ゴム（７）を通し大きく輪を作り再度長ゴム（７）の先端をループロック（１）のもう片方の穴に長ゴム（７）の先端を通し長ゴム（７）の末端は丸留をする。
（ロ）長ゴム（７）の先端はクリップ（６）に連結する。
本発明は以上のような構造で、これを使用するときには、大きく輪を作った長ゴム（７）に哺乳ビンのキャップのくびれ部に挟みループロック（１）で哺乳ビンのキャップのくびれ部を絞り込み哺乳ビンを設置する、長ゴム（７）の先端に連結したクリップ（６）をよだれ掛けに挟む。
赤ちゃんがぐずりきげんが悪くなり、乱暴にも哺乳ビンを放り投げてもクリップ（６）から長ゴム（７）に連結されている為、哺乳ビンは床には落下しない、又赤ちゃんのきげんが良くなり眠りに入った時も長ゴム（７）がクリップ（６）に連結している為哺乳ビンは床に落下しない。
【図面の簡単な説明】
【０００８】
【図１】本発明の斜視図
【図２】本発明の他の実施例を示す斜視図
【図３】本発明の他の実施例を示す斜視図
【図４】本発明の他の実施例を示す斜視図
【符号の説明】
【０００９】１ループロック
２輪ゴム
３スプリング
４ホース
５ひも
６クリップ
７長ゴム
【図１】
2007195907.tif 000003
【図２】
2007195907.tif 000004
【図３】
2007195907.tif 000005
【図４】
2007195907.tif 000006
(57)【要約】【課題】  食卓とシェルターを合体して、通常は食卓用として使用し、地震発生時に食卓の下に即座にもぐりこみ、家具、調度品の落下から人体を守れるシェルターを提供する。【解決手段】マンション、事務所、一般住宅等何処にでもある食事用テーブルと地震対策用のシェルターを合体して強度を持たせ、その食卓の天板の下部、左側・右側各２本の脚の中間に非常用の食料品、飲料水、その他の救急用品を収納、備蓄する収納箱を設け、地震時に瞬時に食卓兼用シェルターにもぐり込み、人体を家具、調度品の落下から守り、２〜３日は生き延びる可能性があることを特徴とする食卓兼用シェルター。【選択図】図１
2007195909.tif 000002
【特許請求の範囲】
【請求項１】
従来の食卓テーブルの天板を厚くし、その下部に天板補助板を設け，各脚も強固にして食卓の左右側面の２本の脚は脚板で固定されその中間にそれぞれ収納箱を設け、その収納箱の中に食料品、飲料水その他の非常用食品、その他緊急用品等を収納した食卓兼用シェルター。
【請求項２】
食卓用テーブルに地震発生時にシェルターとしての役目と非常用食料、飲料水等の緊急用品を収納する収納箱を設けた請求項１記載の食卓兼用シェルター。
【請求項３】
大小の食卓用テーブルとシェルターを合体し、収納箱を設けた請求項１〜２記載の食卓兼用シェルター。
【請求項４】
食卓用として使用できるので、改めて設置場所が要らない、マンション、事務所、一般住宅用向きの請求項１〜３記載の食卓兼用シェルター。
【請求項５】
既存の食卓に、天板の下側と４本の脚を補強し、収納箱を設けて食卓兼用シェルターに改造も出来る請求項１〜４記載の食卓兼用シェルター。
【発明の詳細な説明】
【技術分野】
【０００１】  本発明は、食事用テーブルに地震対策用のシェルター機能を持たせ又、備蓄用食品・飲料水等を収容する収納箱を組み込んだ食卓で、通常は食事用のテーブルとして、地震時には避難用シェルターとして又、食料品、飲料水も備蓄できる食卓兼用シェルターに関するものである。
【秘計技術】
【０００２】  従来、地震対策用としては、各種のシェッルターが販売されているが、いずれも大型で強固に出来たシェルターが多く、設置場所も必要であり、高価なため一般家庭では設置は不可能に近い。近年では、シェルター式のユニットバスとかベットに組み込んだシェルター、家具調ミニシェルターとして販売されるようになった。
しかしいずれもかなりの場所と空間を要するため、マンション、事務所又は一戸建住宅では設置はかなり無理がある。しかし食卓とシェルターを兼用したものは無い。
例えば参考文献として、特開２００５−１５２０２２号公報、特開平１０−０３７５０２号公報、特許２７９４０５９号公報等がある。
【発明の開示】
【発明が解決しようとする問題】
【０００３】  それには次のような問題点があった。
（イ）既存の各種シェルターは屋外に設置する物が多く地震時には設置場所まで行くのが間に合わない。
（ロ）屋内に設置されている地下のシェルター等も地震時には間に合わない。
（ハ）室内設置型のシェルターは場所を取り、設置場所を確保せねばならない。
（ニ）マンション、事務所においてはスペースの問題で設置は不可能である。
（ホ）部屋の中で常時使用している家具調のシェルターはあまりない。
（ヘ）地震発生時瞬時にシェルター内に飛び込めるような家具はない。
（ト）常時使用している家具で防災非常用品を４〜５日分備蓄できるような家具は見当たらない。
本発明は、以上の問題点を解決するためのものである。
【問題を解決するための手段】
【０００４】  この発明は、上記課題の問題点を解決するためになされたもので、マンション、事務所、一個建ての住宅には必ずある家具の食事用テーブルを設け、この食事用テーブルにシェルターとしての機能を設け、本体、天板，数本の脚等を従来の食卓テーブルより強度を持たせ、地震により倒れてくる家具、調度品その他の落下物から人体を守るように設ける。又、この食卓兼用シェルターの天板の下部、長手方向に長方形の収納箱を設け、その長手方向に扉を両サイドに取りつける。扉は木製又は不燃性シート等で製作する。左右側の脚の中間に収納箱を設け、その収納箱の内部は２〜５段に分割されており、又扉はテーブルの内側からも、外側からも開けるようにする。外側の扉は家具として木製で製作し、内側は地震時開閉が出来なくなる恐れが生じるため、不燃性シートにする。この左右の脚の中間の扉つき収納箱の内部、または天板の下部に設けられた扉つき収納箱の内部に非常用食料品・飲料水・懐中電灯・ラジオ、薬箱等の緊急用品を常時保存する。これにより地震発生時、瞬時に食卓兼用シェルターの下にもぐりこみ家具、調度品の落下から人体を守り２〜３日間は生き延びられる。以上を特徴とする食卓兼用シェルターである。
【発明の効果】
【０００５】  地震発生時に瞬時に食卓兼用シェルターにもぐりこみ、調度品、家具等の落下から人体を守り、２〜３日間は天板の下部、又は左右両サイド脚の中間の収納箱に収納されている非常用食料、飲料水、ラジオ、薬箱、その他で生き延びられる効果が期待できるし、又、現在使用中の食卓の４本の脚に補強をし、そして非常用の食料品、飲料水等の収納箱を取りつけても容易に出来る邪魔にならない食卓兼用シェルターである。
【発明を実施するための最良の形態】
【０００６】  以下、本発明の実施の形態を説明する。
（イ）天板（２）を設け、天板（２）の下部に天板補助板（３）を以って補強する。
（ロ）天板（２）と天板補助板（３）の各隅に脚（４）を設ける。
（ハ）脚（４）の下に脚板（５）左右に設け脚（４）と固定する。
（ニ）天板（２）と天板補助板（３）の下部、長手方向に扉つきの収納箱Ａ（６）を設ける。
（ホ）左側２本の脚の間に収納箱Ｂ（７）を、右側２本の脚の間に収納箱Ｃ（８）を設ける。
（ヘ）収納箱Ａ（６）の板製の扉は開閉でき無くなる恐れがあるため不撚性シートに金属の枠が入った構造にする、又左右の脚の収納箱Ｂ・Ｃの外側は木製の扉にし、内側は地震時に開閉ができなくなるため、不燃性のシートにする。
（ト）金属の枠の入った不燃性シートの下部にマジックテープ又はスプリングを設けて常時閉まっている構造にする。
（チ）又、使用中の食卓にも天板の板の下に非常用の収納箱を、また左右の脚の付近に非常用の収納箱を設け、更に４本の脚に補強をして、家具、調度品の落下での人体への怪我等を軽減する構造に改良も出来る。
本発明は，以上の構成よりなっている。
【図面の簡単な説明】
【０００７】
【図１】本発明の正面図
【図２】本発明の平面図
【図３】本発明の右側面図
【符合の説明】
【０００８】  １  食卓兼用地震シェルター
２  天板
３  天板補助板
４  脚
５  脚板
６  地震対策用収納箱Ａ
７  地震対策用収納箱Ｂ
８  地震対策用収納箱Ｃ
９  木製の扉
１０  不燃性シート
１１  つまみ
【図１】
2007195909.tif 000003
【図２】
2007195909.tif 000004
【図３】
2007195909.tif 000005
(57)【要約】      （修正有）【課題】  爪水虫を治療する場合、副作用の強い薬を長期間飲み続けなければならないという不都合の解決。【解決手段】  先端２の一部が爪表面を削り易い形状にしたヤスリ（ネイルアート用のヤスリより粗いヤスリとする）を使用し、内蔵電池６によりモーター５を駆動させ、爪表面の水虫に侵された部分を削り取る。【選択図】図２
2007195902.tif 000002
【特許請求の範囲】
【請求項１】
水虫に侵された爪表面を削るための専用ヤスリ。
【発明の詳細な説明】
【技術分野】
【０００１】  本発明は、爪水虫治療に関するものであり、水虫に侵された爪上部表面を削り取るための専用ヤスリに関するものである。
【背景技術】
【０００２】  爪水虫は、爪の内部に水虫菌が入り込み、爪が厚くなっていくのが一般的である。足の爪は、徐々に伸び、数ヶ月掛け生え代わるため、医師の診断を受け、爪水虫専用の薬を飲むことにより、その間、水虫が広がるのを防ぐことで、水虫に侵された部分を切り落とし、爪水虫を治療している。
【発明の開示】
【発明が解決しようとする課題】
【０００３】  足の爪は、徐々に伸び、数ヶ月掛け、生え代わるため、その間、薬を飲むことにより、水虫が広がるのを防げば、水虫に侵された部分を切り落とすことができるが、長い間、薬を飲み続けることによる身体への副作用は極めて大きい。本発明は、爪を薄くすることにより薬を飲むことなく、市販の水虫薬を使用する程度で、爪水虫を完治させることを課題とする。
【課題を解決するための手段】
【０００４】  爪は、爪自体に大きな損傷を受けると、爪根本から徐々に伸びるだけでなく、指と接触している部分から損傷部を除く一定の厚さになるまで、修復される治癒能力を有している。【０００５】  該治癒能力を利用し、爪の表面患部を削り取ることで、爪が伸びるのを待つことなく水虫に侵された部分を削り取り、爪水虫を完治させることができる。【０００６】  課題を解決するための請求項１の発明は、水虫に侵された爪の表面患部を削り取るためのヤスリである。【０００７】  爪表面の患部を削るため、該専用ヤスリを使用し、足爪の表面を痛みが出ない程度まで削り、薄くなった爪に市販の水虫薬を塗ることで短期間に足水虫を完治させることが可能になる。【０００８】  爪表面の患部を削る専用ヤスリは、ネイルアート用のヤスリに比べ、塗り薬が浸透し易いように、爪表面がザラザラになる程度に粗いものを使用する。
【発明の効果】
【０００９】  本発明により、数ヶ月の間、副作用の強い薬を飲み続けることなく、短期間に爪水虫を完治させることが可能である。
【発明を実施するための最良の形態】
【００１０】  図１は、棒状の金ヤスリの先端の一部を、爪の表面を削り易いように曲げたことを特徴とする金ヤスリの断面図である。同図に示すように先端の一部を曲げることにより、足爪の水虫に侵された爪表面の患部を削ることができる。【００１１】  図２は、電動ドリルの先端に爪表面を削るための専用ヤスリを取り付け、モーターによりヤスリを回し、患部にヤスリを当てるだけで、水虫に侵された爪表面の患部を削ることができる。【００１２】  これらのヤスリは、水虫に侵された爪の表面を削り易いものであれば、先端の形状はどのようなものでもよい。
【産業上の利用可能性】
【００１３】  本発明に係るヤスリは、工業的に量産することが可能であるため、産業上の利用可能性を有する。
【図面の簡単な説明】
【００１４】
【図１】  先端の一部が爪表面を削り易いように曲げられた棒状金ヤスリの断面図である。
【００１５】
【図２】  電動ドリルの先端に爪表面を削るための専用ヤスリを取り付けたものの断面図である。
【符号の説明】
【００１６】１    先端の一部が曲げられた棒状金ヤスリ
２    爪を削るためのヤスリ部分
３    水虫に侵された爪
４    手で持ち易くするための柄
５    ヤスリを回すためのモーター
６    モーターを動かすための電池
７    指
８    爪と指の接触部
９    患部を削り取った後の爪
【図１】
2007195902.tif 000003
【図２】
2007195902.tif 000004